(57)【特許請求の範囲】
【請求項１】
一端側にプーリのボス部を、他端側にロータをそれぞれ取付けた駆動軸の上記一端側を、ハウジングに設けられた筒状の軸支部に軸受を介して回転自在に支持しているとともに、上記ハウジングの軸支部の内周とプーリのボス部との間にオイルシールを介在しているポンプ装置において、
上記ハウジングの軸支部に、当該軸支部の端面を覆うダストカバーを嵌合し、このダストカバーに設けられた短筒部の内周に、上記オイルシールを圧入しているとともに、オイルシールの内周リップを、プーリのボス部外周に摺接させ、上記ダストカバーとプーリのボス部外周との間に、ラビリンスを構成していることを特徴とするポンプ装置。
【請求項２】
上記ダストカバーの外周に、ハウジングの軸支部の外周を伝う泥水を流下させる鍔部を突設してなる請求項１記載のポンプ装置。
【発明の詳細な説明】
【０００１】
【産業上の利用分野】
この発明は、駆動軸の一端に駆動用のプーリを取付けているポンプ装置に関する。
【０００２】
【従来の技術と発明が解決しようとする課題】
従来、自動車のパワーステアリングの動力源として、ベーンポンプ等のポンプ装置が使用されている。このポンプ装置においては、図３に示すように、ハウジング９１の略円筒状の軸支部９１ａの内周に、シール９２ａ付きの軸受９２を嵌合し、この軸受９２の内輪９２ｂに、駆動軸９３を嵌合することにより、当該駆動軸９３をハウジング９１に回転自在に支持している。また、駆動軸９３の一端側にはプーリ９４のボス部９４ａが一体回転可能に嵌合されており、他端側にはロータが一体回転可能に嵌合されている。
ところが、上記ポンプ装置は、自動車のエンジンの下部付近に配置される場合があり、この場合には、泥水が軸受９２の内輪９２ｂとシール９２ａとの隙間を通して軸受９２の内部に浸入し、当該軸受９２の寿命が大幅に低下するという問題があった。
【０００３】
このような問題点を解消するために、上記ハウジング９１の軸支部９１ａと駆動軸９３との間に、オイルシールを介在させたものもあるが（例えば実開平２−２２６８６号公報参照）、泥水対策としては未だ不十分であった。
そこで、上記オイルシールを複列に配置することも考えられるが、その分、プーリ９４と軸受９２との間隔が開くことから、駆動軸９３に倒れが生じて、軸受９２の負担が増大することになる。このため、機種によっては、スペース的にオイルシールを複列に配置することが困難であった。
この発明は、上記問題点に鑑みてなされたものであり、軸受の内部に泥水が浸入するのを効果的に防止することができるポンプ装置を提供することを目的とする。
またこの発明は、軸受とプーリとの間隔が狭い場合でも、軸受の内部に泥水が浸入するのを効果的に防止することができるポンプ装置を提供することを目的とする。
【０００４】
【課題を解決するための手段】
上記目的を達成するための、請求項１に係るポンプ装置は、一端側にプーリのボス部を、他端側にロータをそれぞれ取付けた駆動軸の上記一端側を、ハウジングに設けられた筒状の軸支部に軸受を介して回転自在に支持しているとともに、上記ハウジングの軸支部の内周とプーリのボス部との間にオイルシールを介在しているポンプ装置において、
上記ハウジングの軸支部に、当該軸支部の端面を覆うダストカバーを嵌合し、このダストカバーに設けられた短筒部の内周に、上記オイルシールを圧入しているとともに、オイルシールの内周リップを、プーリのボス部外周に摺接させ、上記ダストカバーとプーリのボス部外周との間に、ラビリンスを構成していることを特徴とするものである。
【０００７】
請求項２に係るポンプ装置は、請求項１に係るポンプ装置において、上記ダストカバーの外周に、ハウジングの軸支部の外周を伝う泥水を流下させる鍔部を突設していることを特徴とするものである。
【０００８】
【作用】
請求項１に係るポンプ装置によれば、ダストカバーとプーリのボス部外周との間のラビリンスによって、泥水がダストカバーの内部に浸入するのを抑制することができる。また、プーリのボス部外周に摺接させたオイルシールの内周リップによって、上記ラビリンスを透過した泥水が軸受の内部に侵入するのを防止することができる。
さらに、上記オイルシールが、ダストカバーの短筒部に圧入されているので、オイルシールとダストカバーとを並列に配置する場合よりも、両者の全体幅を小さくすることができる。このため、軸受とプーリとの間隔が狭い場合でも、オイルシールとダストカバーとを支障なく配置することができる。
【００１１】
請求項２に係るポンプ装置によれば、ハウジングの軸支部の外周を伝う泥水を、上記鍔部によって流下させて滴下させることができる。このため、当該泥水がダストカバーの内部に浸入するのを、より効果的に抑制することができる。
【００１２】
【実施例】
以下、この発明の実施例について、添付図面を参照しながら詳細に説明する。
図１は、この発明のポンプ装置の参考例を示す断面図である。このポンプ装置は、ハウジング１の内部に設けられたニードルローラ軸受２及びボール軸受３によって、駆動軸４が回転自在に支持され、この駆動軸４の一端側にプーリ５が取付けられているとともに、他端側にロータ６が取付けられている。
【００１３】
上記ハウジング１の一端側には、上記駆動軸４を支持するための円筒状の軸支部１ａが突設されており、他端側は、カバープレート１ｂによって閉塞されている。また、上記軸支部１ａの外周には、当該外周を伝う泥水を流下させるための凹溝１ｃが形成されている。
上記ロータ６の外周の複数箇所には、ベーンが径方向に進退自在に保持されており、その両側面は、上記カバープレート１ｂの内側面とサイドプレート７にそれぞれ密接されている。また、上記ロータ６の外周には、上記ベーンを摺接させるカムリング８が設けられている。さらに、上記ボール軸受３の内奥側には、ロータ６側から作動油が洩れるの防止するためのオイルシール９が設けられている。
【００１４】
上記ボール軸受３は、ハウジング１の軸支部１ａの内周に嵌合されており、当該軸支部１ａの開口側には、ボール軸受３の内部に泥水が浸入するのを防止するためのオイルシール１０及びダストカバー１１が設けられている。
上記オイルシール１０は、内周リップＬ１を有するゴム部１０ａに、金属環１０ｂが加硫接着されているものであり、この金属環１０ｂには、ゴム部１０ａに接着された円板部１０ｃの外周側に、ボール軸受３側に延びる短筒部１０ｄが形成されている。そして、この短筒部１０ｄは、ハウジング１の軸支部１ａの外周に嵌合されており、この状態で、上記ゴム部１０ａの一部が上記軸支部１ａの内部に導入されているとともに、ゴム部１０ａの内周リップＬ１がプーリ５のボス部５ａの外周に摺接されている。なお、上記軸支部１ａの端面には、上記金属環１０ｂとの気密性を確保するためのＯリング１３が埋設されている。また、上記ゴム部１０ａの外周側には、プーリ５側に延びる環状のサイドリップＬ２が形成されている。
【００１５】
ダストカバー１１は、内周側の短筒部１１ａと、外周側の短筒部１１ｂと、これらを結ぶ円板部１１ｃとを一体形成した金属製のものであり、上記内周側の短筒部１１ａが、プーリ５のボス部５ａの外周に対して密嵌されているとともに、外周側の短筒部１１ｂが、上記オイルシール１０の短筒部１０ｃに対して微小隙間を有して対向されており、この状態で、上記軸支部１ａの端面及びオイルシール１０を覆っている。そして、上記ダストカバー１１の円板部１１ｃの内側面に対して、上記オイルシール１０のサイドリップＬ２が摺接されている。
また、上記ダストカバー１１の短筒部１１ｂと、オイルシール１０の短筒部１０ｄのそれぞれの先端部の相互間は、ラビリンス１４として構成されている。この実施例においては、上記オイルシール１０の短筒部１０ｄの先端を鍔状に立ち上げることによって、上記ラビリンス１４を構成している。
なお、上記プーリ５のボス部５ａ及びロータ６は、駆動軸４と一体回転できるように、当該駆動軸４に対してそれぞれスプライン結合されている。
【００１６】
以上の構成であれば、ポンプ装置に対して泥水が飛散した場合に、当該泥水がダストカバー１１の内部に浸入するのを、ダストカバー１１の短筒部１１ｂと、オイルシール１０の短筒部１０ｄとの間のラビリンス１４によって抑制することができる。特に、泥水中に含まれる砂及び石については、上記ラビリンス１４によって、ダストカバー１１の内部に浸入するのが効果的に阻止される。また、ラビリンス１４を透過した泥水については、ダストカバー１１の内側面に摺接させたオイルシール１０のサイドリップＬ２によって、内周リップＬ１側へ浸入するのが防止される。さらに、泥水がサイドリップＬ２部分を透過した場合でも、上記オイルシール１０の内周リップＬ１よって、当該泥水がボール軸受３の内部に浸入するのが防止される。
このように、上記ポンプ装置は、ボール軸受３の内部に泥水が浸入するのを三段階に亘って阻止するので、極めて効果的に当該泥水の浸入を阻止することができる。
【００１７】
また、ハウジング１の軸支部１ａの外周を伝う泥水については、上記凹溝１ｃに沿って流下させて滴下させることができるので、上記ラビリンス１４に到達する泥水量を少なくして、当該泥水がダストカバー１１の内部に浸入するのをより効果的に抑制することができる。
なお、上記オイルシール１０の金属環１０ｂの短筒部１０ｄは、ハウジング１の軸支部１ａの内周に圧入させるものであってもよく、この場合には、ラビリンス１４を、ダストカバー１１の短筒部１１ｂと上記軸支部１ａの外周面との間に構成すればよい。また、上記水切り用の凹溝１ｃに代えて、環状の鍔部を突設してもよい。
【００１８】
図２はこの発明の一実施の形態に係るポンプ装置を示す要部断面図である。このポンプ装置は、ダストカバー１１をハウジング１側に取付け、このダストカバー１１によってオイルシール１０を保持している。
さらに詳述すると、上記ダストカバー１１は、円板部１１ｆの外周縁に沿って第１の短筒部１１ｄを形成し、その内周側に所定間隔を有して第２の短筒部１１ｅを形成したものであり、上記第１の短筒部１１ｄは、ハウジング１の軸支部１ａの外周に対して密嵌されており、この状態で、第２の短筒部１１ｅは、上記軸支部１ａの内部に導入されている。また、オイルシール１０は、その鉤形の金属環１０ｅを、上記ダストカバー１１の第２の短筒部１１ｅに圧入することにより、当該ダストカバー１１に保持されている。さらに、上記円板部１１ｆの内周とプーリ５のボス部５ａの外周との間は、微小間隔のラビリンス１４として構成されているとともに、上記第１の短筒部１１ｄの一端部外周には、ハウジング１の軸支部１ａの外周を伝う泥水を流下させるための環状の鍔部１１ｇが突設されている。
【００１９】
このポンプ装置によれば、上記ダストカバー１１とプーリ５のボス部５ａとの間のラビリンス１４によって、泥水がダストカバー１１の内部に浸入するのを抑制することができる。また、このラビリンス１４を透過してダストカバー１１の内部に浸入した泥水については、オイルシール１０の内周リップＬ１によってボール軸受３の内部に浸入するのが阻止される。しかも、ハウジング１の軸支部１ａの外周を伝う泥水を、上記鍔部１１ｇに沿わせて滴下させることができるので、当該泥水がダストカバー１１の内部に浸入するのをより効果的に抑制することができる。
【００２０】
特にこの実施例においては、上記オイルシール１０が、ダストカバー１１の第２の短筒部１１ｅに圧入されているので、オイルシール１０とダストカバー１１とを独立させた状態で並列に配置する場合よりも、両者の全体幅を小さくすることができる。このため、ボール軸受３とプーリ５との間隔が狭い場合でも、オイルシール１０とダストカバー１１とを、支障なく配置することができる。
なお、上記ポンプ装置において、ダストカバー１１の第２の短筒部１１ｅをハウジング１の軸支部１ａの内周に密嵌するようにしてもく、この場合には、ダストカバー１１の第１の短筒部１１ｄを形成する必要がない。
【００２１】
【発明の効果】
以上のように、請求項１に係るポンプ装置によれば、ダストカバーとプーリのボス部外周との間に構成したラビリンスによって、ダストカバーの内部に泥水が浸入するのを抑制することができるとともに、このラビリンスを透過した泥水が、軸受の内部に侵入するのを、プーリのボス部外周に摺接させたオイルシールの内周リップによって防止することができる。
また、上記オイルシールが、ダストカバーに保持されているので、オイルシールとダストカバーとを並列に配置する場合よりも、両者の全体幅を小さくすることができる。このため、軸受とプーリとの間隔が狭い場合でも、効果的な防水対策を施すことができる。
請求項２に係るポンプ装置によれば、ハウジングの軸支部の外周を伝う泥水を、上記鍔部に沿って滴下させて、当該泥水がダストカバーの内部に浸入するのを抑制することができる。このため、当該泥水が軸受の内部に侵入するのをより効果的に防止することができる。 
【図面の簡単な説明】
【図１】この発明のポンプ装置の参考例を示す断面図である。
【図２】この発明のポンプ装置の一実施の形態を示す要部断面図である
【図３】従来例を示す要部断面図である。
【図１】
0003634885.tif 000002
【図２】
0003634885.tif 000003
【図３】
0003634885.tif 000004